(57)【要約】【課題】構造が簡単で，安価に製造することができ、しかも、長期間の使用によっても破損等することのない化粧品陳列具を提供する。【解決手段】載置板部２の前端部から前方に延設される表示板部５と、前面に商品情報を表示する表示シート７とを備えている。そして、上記表示板部５の前側に表示カバー６を、上記表示板部５との間に表示シート７を出し入れ自在に挿入しうる隙間１５をあけた状態で配設して上記表示板部５に固定し、上記表示板部５と表示カバー６とのいずれか一方に、これらの間に挿入した表示シート７を下から支受する帯状支受部１３を設け、上記表示板部５に、指先を挿入しうる穴部１１ａを穿設している。【選択図】図１
2009053251.tif 000002
【特許請求の範囲】
【請求項１】
化粧品陳列台部端部から前方に延設される表示板部と、前面に商品情報を表示する表示シートとを備え、上記表示板部の前側に表示カバーを、上記表示板部との間に表示シートを出し入れ自在に挿入しうる隙間をあけた状態で配設して上記表示板部に固定し、上記表示板部と表示カバーとのいずれか一方に、これらの間に挿入した表示シートを下から支受する支受部を設け、上記表示板部に、指先を挿入しうる穴部を穿設したことを特徴とする化粧品陳列具。
【請求項２】
上記表示板部の下部が上記化粧品陳列台部端部の下側にまで延設され、この延設された上記表示板部の部分に穴部が穿設されている請求項１に記載の化粧品陳列具。
【発明の詳細な説明】
【技術分野】
【０００１】
本発明は、各種の化粧品を陳列する陳列トレイ，陳列棚等の化粧品陳列具に関するものである。
【背景技術】
【０００２】
従来から、化粧品販売店等では、店員に相談することなく、顧客自身が店頭等で化粧品を自由に選択することができるよう、化粧品を日用雑貨のように大量に陳列した化粧品陳列台を置くようにした店が増えてきている。このような、化粧品を大量に陳列しうる化粧品陳列台では、これに載置される陳列トレイ等の前端部に、この陳列トレイ等に陳列されている化粧品の商品名や販売価格等を表示する表示手段が設けられている。このようなものとして、図１７に示すような商品陳列棚用の表示体が提案されている。この商品陳列棚用の表示体は、逆Ｕ字溝状の表示部３１と平板状の商品乗せ部３２とを有する表示体本体３３と、軟質の連結板３４を介して表示部３１の後面の下端辺に回転動可能に連結する表示体カバー３５と、表示部３１の前面に装着する表示カード３６とで構成されたものである。また、上記表示部３１には、その前面の下端辺に嵌合凹條部３１ａを設け、上記表示体カバー３５には、その下端辺に、上記嵌合凹條部３１ａに着脱自在に嵌合する嵌合凸條部３５ａを設けている。
【０００３】
そして、表示部３１の前面に装着した表示カード３６を表示体カバー３５で押し付けて保持しており、この状態で上記嵌合凹條部３１ａと嵌合凸條部３５ａとが嵌合している。また、表示カード３６を交換する場合には、表示体カバー３５の上端辺を軽く手前方向に引っ張って上記嵌合を解除し、さらに表示体カバー３５を手前方向に引っ張って倒した状態にして表示カード３６を交換し、そののち、表示体カバー３５を奥方向に押し、表示カード３６を挿んで表示部３１の前面に表示体カバー３５を軽く押し付けるようにしている（例えば、特許文献１参照）。
【特許文献１】実開平５−３０８７１号公報
【発明の開示】
【発明が解決しようとする課題】
【０００４】
しかしながら、上記の商品陳列棚用の表示体では、表示体カバー３５を軟質の連結板３４を介して表示部３１の後面の下端辺に回転動可能に連結し、また、表示部３１の前面の下端辺に嵌合凹條部３１ａを設け、表示体カバー３５の下端辺に嵌合凸條部３５ａを設けているため、構造が複雑になり、製造コストがアップする。しかも、交換の際に軟質の連結板３４を回転動させるため、交換のたびに連結板３４に曲げ力が作用し、連結板３４が長期間の使用により破損等しやすい。
【０００５】
本発明は、このような事情に鑑みなされたもので、構造が簡単で，安価に製造することができ、しかも、長期間の使用によっても破損等することのない化粧品陳列具の提供をその目的とする。
【課題を解決するための手段】
【０００６】
上記の目的を達成するため、本発明の化粧品陳列具は、化粧品陳列台部端部から前方に延設される表示板部と、前面に商品情報を表示する表示シートとを備え、上記表示板部の前側に表示カバーを、上記表示板部との間に表示シートを出し入れ自在に挿入しうる隙間をあけた状態で配設して上記表示板部に固定し、上記表示板部と表示カバーとのいずれか一方に、これらの間に挿入した表示シートを下から支受する支受部を設け、上記表示板部に、指先を挿入しうる穴部を穿設したという構成をとる。
【発明の効果】
【０００７】
すなわち、本発明の化粧品陳列具では、表示板部に表示シートを装着する場合には、表示板部と表示カバー間の隙間に表示シートを挿入することを行う。また、表示シートを交換する場合には、表示板部の裏側に指先を移動させて表示板部の穴部に挿入し、指先で表示シートを押し上げて上記隙間から押し出したのち、新しい表示シートを上記隙間に挿入すことを行う。このように、本発明の化粧品陳列具では、表示板部に表示カバーを所定の隙間をあけた状態で固定し、表示板部に、指先を挿入しうる穴部を穿設しただけであり、構造が簡単で、安価に製造することができる。しかも、表示板部，表示カバーは可動部材ではないため、長期間の使用によっても破損等することがない。なお、本発明において、「化粧品陳列台部」とは、化粧品を載置，陳列するための陳列トレイの載置板部分だけでなく、この陳列トレイや化粧品を陳列するための陳列棚の棚板部分をも含む意味である。また、「化粧品情報」とは、商品名，販売価格，宣伝文句，キャッチフレーズ等の各種の化粧品に関する情報を指す。
【０００８】
また、本発明において、上記表示板部の下部が上記化粧品陳列台部端部の下側にまで延設され、この延設された上記表示板部の部分に穴部が穿設されている場合には、上記表示板部の裏側に広い空間があるため、指先で表示シートを押し上げる作業がしやすい。
【発明を実施するための最良の形態】
【０００９】
つぎに、本発明を実施するための最良の形態について説明する。ただし、本発明は、この実施の形態に限られるものではない。
【００１０】
図１〜図４は本発明の化粧品陳列具の一実施の形態を示している。この実施の形態では、上記化粧品陳列具として、陳列トレイを用いている。これらの図において、１はトレイ本体であり、化粧品（図示せず）を載置するための載置板部（化粧品陳列台部）２と、この載置板部２の前端部から立設される支受板部３と、この支受板部３の上端部から前側に向かって水平に延設される連結板部４と、この連結板部４の前端部から前側に向かって下り傾斜状に延設される表示板部５とからなっている。
【００１１】
上記表示板部５は、図５〜図８に示したように、上記連結板部４の前端部から前側に向かって下り傾斜状に延設される本体部１１と、この本体部１１の下部の左右両側縁部から立設される左右一対の側板部１２（図８参照）と、上記本体部１１の下端部から立設され上記両側板部１２の下端部同士をつなぐ帯状支受部１３（図７参照）とを備えている。また、上記本体部１１の下部は載置板部２の下側にまで延設されており、この延設された部分（本体部１１の下部）の中央部に、上記本体部１１の後側から指先を挿入しうる穴部１１ａが穿設されている。
【００１２】
６は透明もしくは半透明な表示カバーであり、図９および図１０に示すように、平板状体の後面の左右両側縁部にこれら両側縁部に沿って、上記表示板部５の両側板部１２に嵌合しうる切欠き部６ａが形成されたもので構成されている。そして、上記表示カバー６の切欠き部６ａが、上記表示板部５の両側板部１２に接着，固定されている。また、この固定状態では、上記表示板部５と表示カバー６との間に、前面に商品名等の化粧品情報が表示された表示シート７が出し入れ自在に挿入しうる隙間１５が形成されている（図１１参照）。なお、上記表示シート７は、上記隙間１５と同じもしくは小さい（すなわち、上記隙間１５内に収まる）サイズであってもよいし、上記隙間１５より大きい（すなわち、上記隙間１５からはみ出る）サイズであってもよい。
【００１３】
上記の構成において、表示板部５に表示シート７を装着，保持する場合には、表示板部５と表示カバー６との間の隙間１５に表示シート７を挿入することを行う（図１１の矢印参照）。この状態では、表示シート７は帯状支受部１３により下から支受されている。このような陳列トレイは陳列棚の棚板部分８（図１２参照）に載置される。一方、表示シート７を上記隙間１５から取り出す場合には、指先を表示板部５の裏側からその本体部１１の穴部１１ａに挿入し、指先を表示シート７の裏面に当接させながら、指先を動かして表示シート７を上方に押し上げ（図１２の矢印参照）、上記隙間１５から取り出し、そののち、新しい表示シート７を上記隙間１５に挿入することを行う。
【００１４】
上記のように、この実施の形態では、表示板部５に表示カバー６を所定の隙間をあけた状態で固定し、表示板部５に穴部１１ａを穿設しただけであり、構造が簡単で、安価に製造することができる。しかも、表示板部５，表示カバー６は可動部材ではないため、長期間の使用によっても破損等することがない。
【００１５】
図１３は本発明の化粧品陳列具の他の実施の形態を示している。この実施の形態では、上記表示板部５は、上記実施の形態の表示板部５よりも短く形成されている。一方、上記連結板部４は、上記実施の形態の連結板部４よりも長く形成されており、これにより、上記表示板部５の裏側に、指を挿入しうる大きな空間が形成されるようにしている。それ以外の部分は上記実施の形態と同様であり、同様の部分には同じ符号を付している。この実施の形態でも、上記実施の形態と同様の作用・効果を奏する。
【００１６】
図１４は本発明の化粧品陳列具のさらに他の実施の形態を示している。この実施の形態では、上記表示カバー６が、前面が（半円弧状，半楕円状等の）湾曲面に形成された棒状体からなっている。それ以外の部分は、図１〜図１２に示す実施の形態と同様であり、同様の部分には同じ符号を付している。この実施の形態でも、図１〜図１２に示す実施の形態と同様の作用・効果を奏する。
【００１７】
図１５は本発明の化粧品陳列具のさらに他の実施の形態を示している。この実施の形態では、図１〜図１２に示す実施の形態において、上記表示板部５の両側板部１２の上端部内面に、相対向するようにして係合穴部１２ａ（係合凹部１２ａであってもよい）が形成されている。また、上記表示カバー６が、表示板部５の両側板部１２および帯状支受部１３に内嵌状に収まる形状に形成されており、その左右両側面の、上記両係合穴部１２ａに対応する部分に、上記係合穴部１２ａに着脱自在に係合する係合凸部６ｂが突設されている。そして、上記係合により表示板部５に表示カバー６が着脱自在に固定されている。したがって、この実施の形態では、表示板部５に表示カバー６が接着，固定されていない。それ以外の部分は、図１〜図１２に示す実施の形態と同様であり、同様の部分には同じ符号を付している。この実施の形態でも、図１〜図１２に示す実施の形態と同様の作用・効果を奏する。
【００１８】
図１６は本発明の化粧品陳列具のさらに他の実施の形態を示している。この実施の形態では、上記化粧品陳列具として、陳列棚を用いている。このため、この実施の形態では、陳列棚の棚板部分（化粧品陳列台部）８の前端部から立設された落下防止板８ａの上端部から連結板部４が前側に向かって水平に延設され、この連結板部４の前端部から表示板部５が前側に向かって下り傾斜状に延設されている。それ以外の部分は、図１〜図１２に示す実施の形態と同様であり、同様の部分には同じ符号を付している。この実施の形態でも、図１〜図１２に示す実施の形態と同様の作用・効果を奏する。
【００１９】
なお、上記各実施の形態において、上記表示板部５に表示カバー６を固定する手段は、特に限定されるものではなく、両面テープを用い、上記表示板部５に表示カバー６を両面テープで貼着する等、どのような手段を用いてもよい。
【００２０】
また、上記各実施の形態では、帯状支受部１３が表示板部５に形成されているが、表示カバー６に形成されていてもよい。また、上記各実施の形態において、連結板部４は形成されていなくてもよい。
【図面の簡単な説明】
【００２１】
【図１】本発明の化粧品陳列具の一実施の形態を示す断面図である。
【図２】上記化粧品陳列具の平面図である。
【図３】上記化粧品陳列具の正面図である。
【図４】上記化粧品陳列具の側面図である。
【図５】トレイ本体の平面図である。
【図６】上記トレイ本体の正面図である。
【図７】上記トレイ本体の断面図である。
【図８】上記トレイ本体の要部の断面図である。
【図９】表示カバーの正面図である。
【図１０】上記表示カバーの平面図である。
【図１１】上記化粧品陳列具の作用を示す断面図である。
【図１２】上記化粧品陳列具を陳列棚に載置した状態を示す断面図である。
【図１３】本発明の化粧品陳列具の他の実施の形態を示す断面図である。
【図１４】本発明の化粧品陳列具のさらに他の実施の形態を示す断面図である。
【図１５】本発明の化粧品陳列具のさらに他の実施の形態を示す正面図である。
【図１６】本発明の化粧品陳列具のさらに他の実施の形態を示す断面図である。
【図１７】従来例を示す説明図である。
【符号の説明】
【００２２】
２  載置板部
５  表示板部
６  表示カバー
７  表示シート
１１ａ  穴部
１３  帯状支受部
１５  隙間
【図１】
2009053251.tif 000003
【図２】
2009053251.tif 000004
【図３】
2009053251.tif 000005
【図４】
2009053251.tif 000006
【図５】
2009053251.tif 000007
【図６】
2009053251.tif 000008
【図７】
2009053251.tif 000009
【図８】
2009053251.tif 000010
【図９】
2009053251.tif 000011
【図１０】
2009053251.tif 000012
【図１１】
2009053251.tif 000013
【図１２】
2009053251.tif 000014
【図１３】
2009053251.tif 000015
【図１４】
2009053251.tif 000016
【図１５】
2009053251.tif 000017
【図１６】
2009053251.tif 000018
【図１７】
2009053251.tif 000019